(57)【要約】【課題】合理的に、かつ、眉毛の形状を整える際に、複数回に渡って行っても同様な位置に同様な形状にて眉毛を整えることができる眉毛用定規を提供する。【解決手段】可撓性を有し透明または半透明にて構成され、眉頭２０、眉山２１、眉尻２２を有する眉毛の形状にてなる開口部２が形成されている板体３と、板体３の開口部２が形成されておらずかつ一端３０を含む箇所に形成された基準部５と、板体３の基準部５の端部５１の両側に一定間隔で複数の目盛り６０が形成された目盛り部６とを備える。【選択図】図１
2010057861.tif 000002
【特許請求の範囲】
【請求項１】
可撓性を有し透明または半透明にて構成され、眉頭、眉山、眉尻を有する眉毛の形状にてなる開口部が形成されている板体と、
上記板体の上記開口部が形成されておらずかつ上記板体の端部を含む箇所に形成された基準部と、
上記板体の上記基準部の端部の両側に一定間隔で複数の目盛りが形成された目盛り部とを備えたことを特徴とする眉毛用定規。
【請求項２】
上記基準部は、上記板体に略水平線にて形成されることを特徴とする請求項１に記載の眉毛用定規。
【請求項３】
上記目盛り部は、垂直方向に形成されていることを特徴とする請求項２に記載の眉毛用定規。
【請求項４】
上記基準部は、上記開口部より下部に形成されていることを特徴とする請求項２または請求項３に記載の眉毛用定規。
【請求項５】
上記基準部は、上記板体の一端から他端に渡って形成されていることを特徴とする請求項１ないし請求項４のいずれか１項に記載の眉毛用定規。
【請求項６】
上記基準部は、眉尻方向側の端部を含む箇所に形成されていることを特徴とする請求項１ないし請求項５のいずれか１項に記載の眉毛用定規。
【請求項７】
上記開口部の眉山箇所に、上記眉山箇所が特定できる特定部を備えたことを特徴とする請求項１ないし請求項６のいずれか１項に記載の眉毛用定規。
【請求項８】
上記特定部は、上記開口部を眉山箇所にて略垂直方向の仕切る仕切り部にて構成することを特徴とする請求項６に記載の眉毛用定規。
【請求項９】
上記開口部は、上記開口部を略垂直方向の仕切る仕切り部を備えたことを特徴とする請求項１ないし請求項７のいずれか１項に記載の眉毛用定規。
【請求項１０】
上記板体は、ポリ塩化ビニルにて構成されていることを特徴とする請求項１ないし請求項９のいずれかに１項に記載の眉毛用定規。
【請求項１１】
請求項１ないし請求項１０のいずれか１項に記載の眉毛用定規を用いた化粧方法において、
化粧対象眉の眉頭、眉山、眉尻を決定する第１の工程と、
上記化粧対象眉の眉尻および眉山に上記眉毛用定規の開口部の眉頭および眉山がそれぞれ合致するように上記化粧対象眉上に上記眉毛用定規を載置する第２の工程と、
上記眉毛用定規の基準部の箇所に基準点の印を顔上に記す第３の工程と、
上記化粧対象眉の眉山および眉尻に上記眉毛用定規の開口部の眉山および眉尻がそれぞれ合致するように上記化粧対象眉上に上記眉毛用定規を載置する第４の工程と、
上記眉毛用定規の基準部の箇所と上記基準点との差の差分を上記目盛り部の目盛りにて測定する第５の工程とを備えたことを特徴とする眉毛用定規を用いた化粧方法。
【請求項１２】
上記第２の工程の後で、上記化粧対象眉の眉尻および眉山に上記眉毛用定規の開口部の眉頭および眉山がそれぞれ合致するように上記化粧対象眉上に上記眉毛用定規を載置させた状態にて上記眉毛用定規の開口部の眉頭から眉山までを上記化粧対象眉上に描画する第１の描画工程と、
上記第４の工程の後で、上記化粧対象眉の眉山および眉尻に上記眉毛用定規の開口部の眉山および眉尻がそれぞれ合致するように上記化粧対象眉上に上記眉毛用定規を載置させた状態にて上記眉毛用定規の開口部の眉山から眉尻までを上記化粧対象眉上に描画する第２の描画工程とを備えたことを特徴とする請求項１１に記載の眉毛用定規の化粧方法。
【請求項１３】
上記第１の工程から上記第５の工程を終えた後に、
化粧対象眉の眉頭、眉山を決定する第６の工程と、
上記化粧対象眉の眉尻および眉山に上記眉毛用定規の開口部の眉頭および眉山がそれぞれ合致するように上記化粧対象眉上に上記眉毛用定規を載置する第７の工程と、
上記眉毛用定規の基準部の箇所に基準点の印を顔上に記す第８の工程と、
上記化粧対象眉の眉山に上記眉毛用定規の開口部の眉山が合致させるとともに、上記基準点と上記基準部との差が上記第５の工程にて測定した差分と等しくなるように合致させ上記化粧対象眉上に上記眉毛用定規を載置する第９の工程とを備えたことを特徴とする請求項１１または請求項１２に記載の眉毛用定規の化粧方法。
【請求項１４】
上記第７の工程の後で上記第９の工程の前に、上記眉毛用定規の開口部の眉頭から眉山までを上記化粧対象眉上に描画する第３の描画工程と、
上記第９の工程の後に、上記眉毛用定規の開口部の眉山から眉尻までを上記化粧対象眉上に描画する第４の描画工程を備えたことを特徴とする請求項１３に記載の眉毛用定規の化粧方法。
【発明の詳細な説明】
【技術分野】
【０００１】
この発明は、眉毛の形状を整える際に、合理的に、かつ、複数回に渡って行っても同様な位置に同様な形状にて眉毛を整えることができる眉毛用定規および眉毛用定規を用いた化粧方法に関するものである。
【背景技術】
【０００２】
従来の眉がき用プレートは、目尻に対応する位置を示すガイドラインが形成されたそれを目印に目尻にプレートをあて、開口部にて眉毛を描くものである（例えば、特許文献１参照）。また、他の眉毛描き用プレートは、複数のプレートを組み合わせ、自由に好みの眉毛を描くものである（例えば、特許文献２参照）。
【０００３】
【特許文献１】特開平９−１００３４号公報
【特許文献２】特開２００２−１１２８３３号公報
【発明の開示】
【発明が解決しようとする課題】
【０００４】
従来の眉毛用定規は、眉毛を描くために用いられている。前者の従来の場合では、開口部の形が限定されており、個人個人において所望の開口部を形成しようとすると、極めて多種の開口部の形状が必要となり合理的でない。また、後者の従来の場合には、複数回眉毛を描こうとするとその度に所望の位置にこれらを載置することは困難であり、眉毛を描く度に異なる位置になるという問題点があった。
【０００５】
この発明は上記のような課題を解決するためになされたものであり、合理的に、かつ、眉毛の形状を整える際に、複数回に行っても同様な位置に同様な形状にて眉毛を整えることができる眉毛用定規および眉毛用定規を用いた化粧方法を提供することを目的とする。
【課題を解決するための手段】
【０００６】
この発明は、可撓性を有し透明または半透明にて構成され、眉頭、眉山、眉尻を有する眉毛の形状にてなる開口部が形成されている板体と、板体の開口部が形成されておらずかつ板体の端部を含む箇所に形成された基準部と、板体の基準部の端部の両側に一定間隔で複数の目盛りが形成された目盛り部とを備えたものである。
【０００７】
また、この発明は、化粧対象眉の眉頭、眉山、眉尻を決定し、記化粧対象眉の眉尻および眉山に眉毛用定規の開口部の眉頭および眉山が合致するように化粧対象眉上に眉毛用定規を載置し、眉毛用定規の基準部の箇所に基準点の印を顔上に記し、化粧対象眉の眉山および眉尻に眉毛用定規の開口部の眉山および眉尻が合致するように化粧対象眉上に眉毛用定規を載置し、眉毛用定規の基準部の箇所と基準点との差の差分を目盛り部の目盛りにて測定するものである。
【発明の効果】
【０００８】
この発明の眉毛用定規は、可撓性を有し透明または半透明にて構成され、眉頭、眉山、眉尻を有する眉毛の形状にてなる開口部が形成されている板体と、板体の開口部が形成されておらずかつ板体の端部を含む箇所に形成された基準部と、板体の基準部の端部の両側に一定間隔で複数の目盛りが形成された目盛り部とを備えたので、眉毛用定規の開口部と、化粧対象眉との傾きの違いを、基準部と目盛り部とにより測定することができる。
【０００９】
また、この発明の眉毛用定規を用いた化粧方法は、化粧対象眉の眉頭、眉山、眉尻を決定し、記化粧対象眉の眉尻および眉山に眉毛用定規の開口部の眉頭および眉山が合致するように化粧対象眉上に眉毛用定規を載置し、眉毛用定規の基準部の箇所に基準点の印を顔上に記し、化粧対象眉の眉山および眉尻に眉毛用定規の開口部の眉山および眉尻が合致するように化粧対象眉上に眉毛用定規を載置し、眉毛用定規の基準部の箇所と基準点との差の差分を目盛り部の目盛りにて測定するので、眉毛用定規の開口部と、化粧対象眉との傾きの違いを、基準部と目盛り部とにより測定することができる。
【発明を実施するための最良の形態】
【００１０】
実施の形態１．
以下、本願発明の実施の形態について説明する。図１はこの発明の実施の形態１における眉毛用定規の構成を示す図、図２ないし図６は図１に示した眉毛用定規を用いた化粧方法を説明するための図、図７から図１２はこの発明の実施の形態１における他の眉毛用定規の構成を示す図である。図において、眉毛用定規１は、可撓性を有し透明または半透明にて構成され、眉頭２０、眉山２１、眉尻２２を有する眉毛の形状にてなる開口部２が形成されている板体３にて構成されている。この開口部２は、美容上理想とされる眉（以下、この理想とされる眉のことを、理想形状眉と示す）の形状に沿って開口されたものであることは言うまでもなく、様々な形状が考えられる。
【００１１】
そして板体３は、例えば軟質ポリ塩化ビニル（ＰＶＣ）にて形成され、厚みは略０．３ｍｍを有する。この厚みは、薄すぎると皮膚とくっついて扱いにくくなるし、厚すぎると皮膚に沿わなくなり扱いにくくなる。よって、扱いやすい厚さに設定されるものであり、この厚さに限定されるものではない。そしてここで言う、可撓性とは、このように皮膚に沿うようにたわむ程度のことを示すものである。また、透明または半透明とは、この眉毛用定規１を顔上に載置した際に、眉毛用定規１の下部に存在する、眉毛または顔の状態を判断できる程度の透明性または半透明性を示すものである。
【００１２】
そして板体３の大きさは、縦の長さｔ１が略４ｃｍ、横の長さｔ２が略９ｃｍにて形成されており、顔における一方の眉毛がこの板体１０により覆われるより若干大きい程度の大きさにて形成されている。この大きさは特にこれに限定されるものではない。しかしながら、通常の眉毛より小さいと開口部２を形成することができなくなり、あまりにも大きいと施術が行いにくく、さらに、大きすぎると後述する基準点を顔上に記すことができなくなるため、有る程度の大きさに限定されるものである。そして、板体３の開口部２が形成されておらずかつ板体３の端部としての一端３０を含む箇所に形成された基準部５と、板体３の基準部５の端部５１の両側に一定間隔で複数の目盛り６０が形成された目盛り部６とを備えたものである。
【００１３】
基準部５は、板体３に略水平線５０にて形成され、開口部２より下部に、かつ、板体３の一端３０から他端３１に渡って形成されている。目盛り部６は、板体３の一端３０に垂直方向に形成されている。さらに、開口部２の眉山２１箇所に、眉山２１箇所が特定できる特定部２３が、ここでは開口部２を眉山２１箇所にて略垂直方向の仕切る仕切り部２３ａにて構成されている。この仕切り部２３ａは開口部２を分断して眉山２１を特定できるものになるとともに、開口部２の強度を保つための役割も果たしている。
【００１４】
次に、上記のように構成された実施の形態１の眉毛用定規１を用いた化粧方法について示す。尚、ここでは、眉毛用定規１を用いた化粧方法として、眉毛の形状を整えて理想形状眉とするために、理想形状眉以外の箇所の眉毛および産毛などの除去（除毛）を行うための化粧方法について説明する。また、ここでは便宜上、各図においては左の化粧対象眉１０のみを示しているが、左右の化粧対象眉１０を同様に行うことは言うまでもなく、その説明は適宜省略する。また、板体３は透明または半透明にて形成されているため、左右は眉毛用定規１の裏表を使用することにより対応することができることは言うまでもない。また、説明の便宜上、各図においては化粧対象眉１０はその中心部の眉毛のみを示しており、他の部分の眉毛および産毛等は省略して示している。通常、化粧を行う前の化粧対象眉１０は、図に示した以外にも周りに多くの眉毛および産毛等が存在し、または、存在せず、理想形状眉とは成っていない。
【００１５】
まず、第１の工程として、化粧を行うための顔の、化粧を行う対象となる化粧対象眉１０において理想形状眉の眉頭、眉山、眉尻の位置をそれぞれ決定する。理想形状眉の各位置の決定方法の具体例を以下に示す。眉頭は、小鼻の入り込んだ箇所Ａから真っすぐ垂直に延びた線Ｂ上に存在するとして、その延長線Ｂと化粧対象眉１０との交点箇所に第１の印Ｃを記す。また、眉山は、鼻の頂点Ｄと瞳の中心Ｅとの２点を結んだ線Ｆ上に存在するとして、その線Ｆと化粧対象眉１０との交点箇所に第２の印Ｇを記す。また、眉尻は、下唇の下部のくぼみＨと目尻Ｉの２点を結んだ線Ｊ上に存在するとして、その線Ｊと化粧対象眉１０との交点箇所に第３の印Ｋを記す（図２（ａ））。但し、通常化粧を行う前の化粧対象眉１０の眉毛は、理想形状眉の箇所に存在しない、または、ごく薄くしか存在しない場合がある。よってこのような場合には、これら線Ｂ、Ｆ、Ｊと化粧対象眉１０とが交差する箇所としては、化粧対象眉１０の延長線上と線Ｂ、Ｆ、Ｊとの交差する箇所にそれぞれ印を記すこととする。
【００１６】
次に、上記に記した第１ないし第３の印Ｃ、Ｇ、Ｋでは顔における理想形状眉の垂直方向の位置のみが確認される。よって、理想形状眉の水平方向の位置を確定するために、例えば、顔に水平方向の当て布７を眉頭、眉山、眉尻に相当する水平箇所に載置して、顔の骨格に基づいて眉頭、眉山、眉尻の位置を決定する。この際、当て布７は顔の左右の化粧対象眉１０に載置され、左右の化粧対象眉１０が対称の位置に設定されるように決定する。そして、化粧対象眉１０における眉頭１１を図２（ｂ）に示すように、眉山１２を図３（ａ）に示すように、眉尻１３を図３（ｂ）に示すようにそれぞれ決定する。図３においては、便宜上、当て布７を破線にて示しているが、これは、例えばポリエステル等にて成る不織布にて形成されるものである。この当て布７は、水平方向の位置が確定できるものであればこれに限られるものではなく、顔の形にある程度添うことができるものであればよいことは言うまでもない。
【００１７】
次に、第２の工程として、図４（ａ）に示すように、化粧対象眉１０の眉頭１１および眉山１２と、眉毛用定規１の開口部２の眉頭２０および眉山２１とがそれぞれ合致するように、化粧対象眉１０上に眉毛用定規１を載置する。但し、この際に使用する眉毛用定規１は、開口部２が理想となる様々な形状にて構成される複数種類の眉毛用定規１から選択することとなる。例えば、図７に示すように、開口部２が図１の開口部２より細くて、さらにつり上がった状態になっているものなど、理想とされる複数種の眉毛の形状に開口された開口部２が形成されたものを備えておき、その中から好みのもの、また、長さの合うものを選択することが適当であると考えられる。次に、第３の工程として、図４（ｂ）に示すように、眉毛用定規１の基準部５の端部５１の箇所に基準点１４の印を顔上に記す。
【００１８】
次に、第１の描画工程として、図５（ａ）に示すように、眉毛用定規１の開口部２の眉頭２０から眉山２１までの箇所を化粧対象眉１０上に描画し第１の描画部１５を形成する。尚、第１の描画部１５の描画は、基準点１４を記す前に行うようにしてもよいことは言うまでもない。そして、図５（ａ）、図４からも明らかなように、化粧対象眉１０の眉尻１３と、眉毛用定規１の眉尻２２とはこの状態では一致していない。
【００１９】
次に、第４の工程として、図５（ｂ）に示すように、化粧対象眉１０の眉山１２および眉尻１３に眉毛用定規１の開口部２の眉山２１および眉尻２２がそれぞれ合致するように、化粧対象眉１０上に眉毛用定規１を載置し直す。そして、第５の工程として、眉毛用定規１の基準部５の端部５１と先に顔上に記した基準点１４との差の差分を目盛り部６の目盛り６０にて測定する。ここでは、眉毛用定規１を合致させるために下方向に傾けたので、基準部５は基準点１４より下に移動している。予め、基準部５の両側に目盛り６０が設けられているので、ここでは基準部５より上をプラス側と、基準部５より下をマイナス側と考える。よって、ここではプラス２の目盛り６０だけ移動させたことが測定される。
【００２０】
次に、第２の描画工程として、図６（ａ）に示すように、眉毛用定規１の開口部２の眉山２１から眉尻２２までを化粧対象眉１０上に描画し第２の描画部１６を形成する。尚、第２の描画部１６の描画は、目盛り６０の測定を行う前に行うようにしてもよいことは言うまでもない。また、この目盛り６０の測定は、全くずらすことなく行うことができる場合が起こりえることは言うまでもなく、その場合は、目盛り６０の差分が０であると測定することができる。
【００２１】
次に、図６（ｂ）に示すように、眉毛用定規１を顔の上から除き、第１の描画部１５と第２の描画部１６とを連続させる描画を行い、理想形状眉と略同一の部分が描画されている描画部１７を形成し、描画部１７以外の線などを削除する。尚、上記に示した描画の工程は、例えばアイブロウ化粧品を用いて描画することが考えられる。但し、これに限られることはなく、皮膚上において塗布が可能であり、後から除去が可能なものであればよいことは言うまでもない。次に、この描画部１７以外の周りに存在する余分な毛（余分な眉毛および産毛を含む）を除去するために、描画部１７を基準として、描画部１７の周りの全てを、脱毛ワックスを塗布して、余分な毛を取り除く。次に、余分な毛の抜き取りが終了すると、描画部１７を拭き取り作業を終了する。このように描画部１７以外の周りに存在する余分な毛（余分な眉毛および産毛を含む）を除去することにより、化粧対象眉１０は理想形状眉の部分のみの毛を残した状態となる。以上にて、一連の作業は終了する。さらに、このようにして残された理想形状眉の部分の眉毛および産毛（化粧対象眉１０）上に、ブラシなどでなぞってアイブロウ化粧品にて色をつける（眉毛を描く）ことにより、理想形状眉の形状を容易に描画することができる。
【００２２】
しかしながら、この脱毛処理は定期的（半月または１ヶ月に一度）に行う必要があるため、期間を空けて始めの工程から同様に工程を繰り返して行う必要がある。まず、第６の工程として、化粧対象眉１０の眉頭１１、眉山１２を決定するために、上記図２（ａ）から図３（ｂ）に示した工程と同様の工程を行う。しかしながら、ここでは、眉尻の決定を行う必要はない。次に、第７の工程として、図４（ａ）に示すように、化粧対象眉１０の眉頭１１および眉山１２と、眉毛用定規１の開口部２の眉頭２０および眉山２１とがそれぞれ合致するように、化粧対象眉１０上に眉毛用定規１を載置する。但し、この際に使用する眉毛用定規１は、上記一連の工程にて使用したものと同様のものを選択することとなる。
【００２３】
次に、第８の工程として、図４（ｂ）に示すように、眉毛用定規１の基準部５の端部５１の箇所に基準点１４の印を顔上に記す。次に、第３の描画工程として、図５（ａ）に示すように、眉毛用定規１の開口部２の眉頭２０から眉山２１までの箇所を化粧対象眉１０上に描画し第３の描画部として第１の描画部１５を形成する。すなわち、第１の描画部１５と第３の描画部とは略同一箇所に略同一形状にて描画されることとなる。尚、第１の描画部１５の描画は、基準点１４を記す前に行うようにしてもよいことは言うまでもない。次に、第９の工程として、図５（ｂ）に示すように、化粧対象眉１０の眉山１２に眉毛用定規１の開口部２の眉山２１を合致させるとともに、基準点１４と基準部５との差が、上記に示した第５の工程にて測定した差分、目盛り部６の目盛り６０を合致させて化粧対象眉１０上に眉毛用定規１を載置する。よってここでは、眉毛用定規１の基準部５の箇所と基準点１４との差が先に測定した差分の目盛り６０分、プラス２の目盛り６０分移動させて載置される。
【００２４】
次に、第４の描画工程として、図６（ａ）に示すように、眉毛用定規１の開口部２の眉山２１から眉尻２２までを化粧対象眉１０上に描画し第４の描画部としての第２の描画部１６を形成する。すなわち、第２の描画部１６と第４の描画部とは略同一箇所に略同一形状にて描画されることとなる。次に、図６（ｂ）に示すように、眉毛用定規１を顔の上から除き、第１の描画部１５と第２の描画部１６とを連続させる描画を行い、理想形状眉にて成る描画部１７を形成する。このように第２の描画部１６を形成すると、先の一連作業にて描画した描画部１７とほぼ同様の位置に同様の形状にて描画部１７が形成されることとなる。次に、以下は上記に示した一連の作業と同様の作業を行い、描画部１７の周りの余分な毛を除去し、理想的な部分のみの毛を残して理想形状眉の形状に化粧対象眉１０を整える。このように行えば、眉毛の描画を複数回実施してもほぼ同様の位置に、かつ、同様の形状にて、理想形状眉を描画することが可能となり、同様の処理を施すことができる。
【００２５】
上記のように構成された実施の形態１の眉毛用定規によれば、眉毛用定規の傾きを、基準部を基準として目盛り部の目盛りにて測定することにより、複数回において同様の位置に同様の形状にて眉毛を整えることができる。このように、差分を測定して使用することができるため、１つの眉毛用定規において、複数の形の眉毛を整えることが可能となり、合理的に対応することができる。尚、基準部を基準として配置されている目盛り部の目盛りは、眉毛用定規を移動させる際に、その移動の差分を確認できる箇所に配設させていることは言うまでもない。
【００２６】
また、基準部は、板体に略水平線を兼ねて形成されているため、板体を顔上に載置する際に基準となり、また、目盛りの測定を容易に行うことができる。また、目盛り部は、垂直方向に形成されているため、目盛りの測定を正確に行うことができる。また、基準部は、開口部より下部に形成されているため、化粧対象眉より下部にて基準点の作業を行うことができ、作業が行いやすくなる。
【００２７】
また、基準部は、板体の一端から他端に渡って形成されているため、基準部を基準として眉毛用定規を顔上に容易に載置することができる。また、基準部は、眉尻方向側の端部を含む箇所に形成されているため、基準点を顔上に容易に記することができる。また、開口部の眉山箇所に、眉山箇所が特定できる特定部を備えたので、容易に眉山箇所を特定することができ、より正確な処理を施すことができる。また、特定部は、開口部を眉山箇所にて略垂直方向の仕切る仕切り部にて構成されているため、開口部の強度を確保する仕切り部と特定部とを兼用することができる。また、板体は、ポリ塩化ビニルにて構成されているため、安価にかつ容易に形成することが可能となる。
【００２８】
また、上記実施の形態１においては、必要な箇所を残して不要な箇所の眉毛を除去する例を示したが、これに限られることはなく、第１の描画部１５および第２の描画部１６を形成し、さらに描画部１７を形成することにより、この描画部１７を通常の化粧の眉毛（理想形状眉を描く）として利用することも考えられる。その場合、複数回、眉毛を描画する場合にも、第２の描画部１６を記す際に、予め測定した目盛り６０の差分を移動させることにより、いずれの回もほぼ同様の位置に同様の形状にて理想形状眉を描画することができ、美容に優れた眉毛の描画を行うことができる。
【００２９】
また、上記実施の形態１では、基準部５は、板体３の開口部２が形成されておらずかつ端部５１が眉尻２２方向側の一端３０を含む箇所に形成され、かつ、板体３に略水平線５０にて形成され、かつ、開口部２より下部に、かつ、板体３の一端３０から他端３１に渡って形成されている例を示しているが、これに限られることはなく、例えば、図８に示すように、基準部５として、板体３の一端３０に端部５１から若干延長された略水平線５０にて形成する。また、目盛り部６はこの端部５１から両側に一定間隔で複数の目盛り６０が必要に成ると考えられる分、例えば、上下に傾けるとしても５ｍｍより大きくなることはほとんど考えられないため、余裕を持ってここでは上下にそれぞれ１ｃｍの目盛り６０のみにて形成してもよい。また、目盛り６０は垂直方向に形成する例を示しているが、これに限られることはなく、例えば、円弧上に形成してもよいことは言うまでもない。
【００３０】
また、上記実施の形態１では、基準部５の端部５１を眉尻２２方向側の一端３０を含む箇所に形成する例を示しているが、これに限られることはなく、例えば、図９に示すように、基準部５の端部５１を、眉頭２０方向側の他端３１を含む箇所に形成しても良い。この場合、目盛り部６もこれにあわせて板体３の他端３１側に形成されることとなる。このように形成された眉毛用定規１では、基準点を記す場合、上記実施の形態１に示した場合と異なり、眉頭２０側に記されることとなる。
【００３１】
また、上記実施の形態１では、仕切り部２３ａを備える例を示したが、これに限られることはなく、例えば図１０に示すように、仕切り部２３ａを備えることなく形成する場合も考えられる。この場合、開口部２の任意の箇所を眉山２１として作業者が認識して行うことにより対応することができる。または、図１１に示すように、眉山２１箇所が特定できるように特定部２３としての印２３ｂを形成しても良い。また、上記実施の形態１では、仕切り部２３ａを特定部２３に形成する例を示したが、これに限られることはなく、図１２に示すように、開口部２を略垂直方向の仕切る仕切り部２３０、２３１を、他の箇所に備えるようにすれば、開口部２を補強することができることは言うまでもない。
【００３２】
また、上記実施の形態１では、基準部５を開口部２の下部に形成する例を示したが、これに限られることはなく、例えば図１３に示すように、開口部２の上部に形成してもよいことは言うまでもない。
【図面の簡単な説明】
【００３３】
【図１】この発明の実施の形態１の眉毛用定規の構成を示す図である。
【図２】図１に示した眉毛用定規を用いた化粧方法を示す図である。
【図３】図１に示した眉毛用定規を用いた化粧方法を示す図である。
【図４】図１に示した眉毛用定規を用いた化粧方法を示す図である。
【図５】図１に示した眉毛用定規を用いた化粧方法を示す図である。
【図６】図１に示した眉毛用定規を用いた化粧方法を示す図である。
【図７】この発明の実施の形態１の他の眉毛用定規の構成を示す図である。
【図８】この発明の実施の形態１の他の眉毛用定規の構成を示す図である。
【図９】この発明の実施の形態１の他の眉毛用定規の構成を示す図である。
【図１０】この発明の実施の形態１の他の眉毛用定規の構成を示す図である。
【図１１】この発明の実施の形態１の他の眉毛用定規の構成を示す図である。
【図１２】この発明の実施の形態１の他の眉毛用定規の構成を示す図である。
【図１３】この発明の実施の形態１の他の眉毛用定規の構成を示す図である。
【符号の説明】
【００３４】
１  眉毛用定規、２  開口部、３  板体、５  基準部、６  目盛り部、
１０  化粧対象眉、１１  眉頭、１２  眉山、１３  眉尻、１４  基準点、
１５  第１の描画部、１６  第２の描画部、１７  描画部、２０  眉頭、２１  眉山、
２２  眉尻、２３  特定部、２３ａ，２３０，２３１  仕切り部、３０  一端、
３１  他端、５０  略水平線、５１  端部、６０  目盛り。
【図１】
2010057861.tif 000003
【図２】
2010057861.tif 000004
【図３】
2010057861.tif 000005
【図４】
2010057861.tif 000006
【図５】
2010057861.tif 000007
【図６】
2010057861.tif 000008
【図７】
2010057861.tif 000009
【図８】
2010057861.tif 000010
【図９】
2010057861.tif 000011
【図１０】
2010057861.tif 000012
【図１１】
2010057861.tif 000013
【図１２】
2010057861.tif 000014
【図１３】
2010057861.tif 000015
【手続補正書】
【提出日】平成21年6月18日(2009.6.18)
【手続補正１】
【補正対象書類名】特許請求の範囲
【補正対象項目名】請求項８
【補正方法】変更
【補正の内容】
【請求項８】
上記特定部は、上記開口部を眉山箇所にて略垂直方向に仕切る仕切り部にて構成することを特徴とする請求項７に記載の眉毛用定規。
【手続補正２】
【補正対象書類名】特許請求の範囲
【補正対象項目名】請求項９
【補正方法】変更
【補正の内容】
【請求項９】
上記開口部は、上記開口部を略垂直方向に仕切る仕切り部を備えたことを特徴とする請求項１ないし請求項７のいずれか１項に記載の眉毛用定規。